(57)【要約】【課題】施工コストを減少できるとともに屋根全体の外観意匠性を向上させることが可能な屋根構造を提供することを目的とする。【解決手段】屋根１，１０の周囲に連続して、断面凹溝状に形成された雨樋２が取り付けられており、けらば１ａ側に敷設された屋根材３の端部３ａが、けらば１ａ側に取り付けられた雨樋２の凹溝部２ａの上方に延出していることを特徴とする屋根構造。これにより、同種類の雨樋によって屋根の周囲を囲むことができるとともに、屋根の周囲の外観に連続性を生じさせることができる。【選択図】図１
2008231665.tif 000002
【特許請求の範囲】
【請求項１】
屋根の周囲に連続して、断面凹溝状に形成された雨樋が取り付けられており、けらば側に敷設された屋根材の端部が、けらば側に取り付けられた雨樋の凹溝部の上方に延出していることを特徴とする屋根構造。
【請求項２】
請求項１に記載の屋根構造において、
前記けらば側の雨樋は、屋根の妻側に立設された妻壁に、この妻壁の上端部に沿って取り付けられていることを特徴とする屋根構造。
【請求項３】
請求項１または２に記載の屋根構造において、
屋根の軒裏に軒天井材が設けられることによって、屋根と軒天井材との間に軒裏空間が形成されており、軒先側に取り付けられた雨樋と、前記軒天井材の下方に、壁に沿って垂直に取り付けられた竪樋とを連結する呼樋が、前記軒裏空間を通過するようにして設けられていることを特徴とする屋根構造。
【発明の詳細な説明】
【技術分野】
【０００１】
本発明は、住宅等の建物の屋根構造に関する。
【背景技術】
【０００２】
従来、住宅等の建物においては寄棟屋根や切妻屋根のような勾配屋根が多く用いられており、このような勾配屋根には軒先に沿って雨樋が設置される。また、屋根周囲の造作において、妻側の端部を装飾するため、屋根のけらばを覆うけらば化粧材を取り付けることがある（例えば、特許文献１参照）。
【特許文献１】特開２００１−１６４７０７号公報
【発明の開示】
【発明が解決しようとする課題】
【０００３】
ところで、例えば切妻屋根や入母屋屋根等の軒先側に雨樋を設置するとともに、けらば側に上記のようなけらば化粧材を取り付けた場合、これら雨樋およびけらば化粧材は連続した部品ではなく、それぞれを所定位置に設置するための種々の部品や部材が必要となるため、部品点数が多くなってしまい、屋根の施工に係るコストの増加を招く場合があった。さらに、これら雨樋の外観とけらば化粧材の外観とが揃っていないと、屋根の周囲の外観に連続性がなくなってしまうため、屋根の外観を損ねてしまう場合があった。
【０００４】
本発明の課題は、施工コストを減少できるとともに屋根全体の外観意匠性を向上させることが可能な屋根構造を提供することを目的とする。
【課題を解決するための手段】
【０００５】
請求項１に記載の発明は、屋根構造であり、例えば図１〜図３に示すように、屋根１，１０の周囲に連続して、断面凹溝状に形成された雨樋２が取り付けられており、けらば１ａ側に敷設された屋根材３の端部３ａが、けらば１ａ側に取り付けられた雨樋２の凹溝部２ａの上方に延出していることを特徴とする。
【０００６】
請求項１に記載の発明によれば、屋根１，１０の周囲に連続して前記雨樋２が取り付けられているので、同種類の雨樋２によって屋根１，１０の周囲を囲むことができる。これによって、この雨樋２を取り付ける際の部品点数を、従来に比して格段に減少させることができるので、施工コストを減少させることが可能となる。
さらに、このように屋根１，１０の周囲に連続して前記雨樋２が取り付けられているので、従来とは異なり、屋根１，１０の周囲の外観に連続性が生じることとなる。その上、けらば１ａ側に敷設された屋根材３の端部３ａが、前記けらば１ａ側の雨樋２の凹溝部２ａの上方に延出しているので、前記屋根材３の端部３ａによって凹溝部２ａへの視線を遮蔽することができる。これによって、屋根１，１０全体の外観意匠性を向上させることが可能となる。
【０００７】
請求項２に記載の発明は、例えば図２に示すように、前記けらば１ａ側の雨樋２は、屋根１の妻側に立設された妻壁８に、この妻壁８の上端部に沿って取り付けられていることを特徴とする。
【０００８】
請求項２に記載の発明によれば、前記けらば１ａ側の雨樋２は、屋根１の妻側に立設された妻壁８に、この妻壁８の上端部に沿って取り付けられているので、けらば側に敷設された屋根材３の端部３ａからの雨垂れを、雨樋２の凹溝部２ａに確実に滴下させることができ、雨垂れによる妻壁８の汚れを防ぐことができる。
【０００９】
請求項３に記載の発明は、例えば図１〜図４に示すように、請求項１または２に記載の屋根構造において、
屋根１，１０の軒裏に軒天井材４が設けられることによって、屋根１，１０と軒天井材４との間に軒裏空間５が形成されており、軒先１ｂ側に取り付けられた雨樋２と、前記軒天井材４の下方に、壁に沿って垂直に取り付けられた竪樋６とを連結する呼樋７が、前記軒裏空間５を通過するようにして設けられていることを特徴とする。
【００１０】
請求項３に記載の発明によれば、前記雨樋２と竪樋６とを連結する呼樋７が、前記軒裏空間５を通過するようにして設けられているので、この呼樋７への視線を遮蔽することができるので、屋根１，１０全体の外観意匠性をより向上させることが可能となる。
【発明の効果】
【００１１】
本発明によれば、屋根の周囲に連続して前記雨樋が取り付けられているので、同種類の雨樋によって屋根の周囲を囲むことができる。これによって、この雨樋を取り付ける際の部品点数を、従来に比して格段に減少させることができるので、施工コストを減少させることが可能となる。
さらに、このように屋根の周囲に連続して前記雨樋が取り付けられているので、従来とは異なり、屋根の周囲の外観に連続性が生じることとなる。その上、けらば側に敷設された屋根材の端部が、けらば側の雨樋の凹溝部の上方に延出しているので、屋根材の端部によって凹溝部への視線を遮蔽することができる。これによって、屋根全体の外観意匠性を向上させることが可能となる。
【発明を実施するための最良の形態】
【００１２】
以下、図面を参照して本発明の実施の形態について説明する。なお、以下の実施の形態おいては、建物の壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１３】
本実施の形態の屋根構造は、図１〜図３に示すように、屋根１，１０の周囲に連続して、断面凹溝状に形成された雨樋２が取り付けられており、けらば１ａ側に敷設された屋根材３の端部３ａが、けらば１ａ側に取り付けられた雨樋２の凹溝部２ａの上方に延出している。
【００１４】
ここで、本実施の形態の屋根１，１０は切妻屋根であり、妻側には山形に形成された妻壁８が設けられており、屋根１，１０の勾配の先端側には、屋根１，１０が平壁の表面よりも延出することによって軒が形成された状態となっている。また、屋根１，１０の軒裏には軒天井材４が設けられている。
【００１５】
さらに、前記屋根材３は、屋根１，１０の傾斜面に対して縦横に並列して設けられている。この屋根材３は、本実施の形態においてはスレート材が用いられているが、瓦や金属製の屋根材３などでも良い。
【００１６】
なお、本実施の形態の屋根１，１０は、上述のように切妻屋根であるとしたが、これに限られず、例えば入母屋屋根等でもよく、本発明の趣旨を逸脱しない範囲で適宜変更可能である。
【００１７】
一方、前記雨樋２は、図１（ａ）に示すように、屋根１の軒先１ｂ側に、棟方向に沿って取り付けられるとともに、屋根１のけらば１ａ側に、軒先１ｂ側に取り付けられた雨樋２に対して直交するようにして取り付けられている。すなわち、同種類の雨樋２によって屋根１の周囲を囲むことができるようになっている。
なお、前記軒先１ｂ側およびけらば１ａ側の雨樋２は、屋根１のコーナー部分に取り付けられるコーナー用雨樋を介して連続的に設けられるものとする。
【００１８】
そして、図１（ｂ）に示すように、けらば１ａ側に敷設された屋根材３の端部３ａが、けらば１ａ側に取り付けられた雨樋２の凹溝部２ａの上方に延出している。なお、屋根材３の端部３ａは、屋根材３の端部３ａからの雨垂れが前記雨樋２の凹溝部２ａに確実に滴下されるように若干の隙間をあけて延出している。
【００１９】
なお、けらば１ａ側に取り付けられた雨樋２は、図１（ａ），（ｂ）に示すように、屋根１の勾配に沿って山形になるように取り付けられている。
この時、前記けらば１ａ側の雨樋２を、図２に示すように、屋根１の妻側に立設された妻壁８に、この妻壁８の上端部に沿って取り付けられるようにしてもよい。
このように妻壁８の上端部に沿って雨樋２を取り付けることによって、けらば側に敷設された屋根材３の端部３ａからの雨垂れを、雨樋２の凹溝部２ａに確実に滴下させることができ、雨垂れによる妻壁８の汚れを防ぐことができる。
【００２０】
ここで、前記雨樋２は、図２および図４に示すように、雨水を受ける前記凹溝部２ａと、屋根１，１０を構成する屋根パネル９の端部を差し込むための第１差込部２ｂと、軒天井材４の端部を差し込むための第２差込部２ｃと、前記第１差込と第２差込部２ｃとを接続し、可撓性を有する角度調整部２ｄとを備えている。
【００２１】
また、これら凹溝部２ａと、第１差込部２ｂおよび第２差込部２ｃと、角度調整部２ｄとは、屋根１，１０の周囲の長さ方向に沿って長尺に形成されるとともに、アルミ等の金属を押出成形することによって一体的に形成されている。
【００２２】
また、前記第１差込部２ｂは、前記屋根パネル９の先端部下面に、屋根パネル９の幅方向に沿って形成された係合溝９ａに係合する係合片２ｂａを備えており、この第１差込部２ｂに屋根パネル９の先端を差し込んだ際に、雨樋２と屋根パネル９とを強固に接続することができるようになっている。
【００２３】
さらに、前記凹溝部２ａと第１差込部２ｂとの間には間隙部２ｅが形成されており、何らかの原因で凹溝部２ａから軒裏に雨水が浸入した際に、屋根パネル９が雨水に浸からないようにするためのオーバーフロー用空間として利用できるようになっている。
【００２４】
一方、前記第２差込部２ｃは、この第２差込部２ｃの長さ方向に沿って、上方に向かって傾斜するＶ溝部２Ｆを備えており、このＶ溝部２Ｆの頂点には、Ｖ溝部２Ｆの長さ方向に沿って図示しない軒裏用の換気孔が複数形成されて並設されている。
【００２５】
また、前記角度調整部２ｄは、上述したように前記第１差込と第２差込部２ｃとを接続し、可撓性を有するので、前記第１差込部２ｂに対する第２差込部２ｃの角度を調整することができる。すなわち、例えば前記第２差込部２ｃに差し込まれて水平に設けられた軒天井材４に対して、屋根パネル９の設置角度を適宜対応させることができるようになっている。
【００２６】
これによって、構築される複数の建物の屋根１，１０の勾配角度がそれぞれ異なっていたとしても、角度調整部２ｄを撓ませて、第１差込部２ｂに対する第２差込部２ｃの角度を調整することによって、構築される建物のいずれにも対応することが可能となる。したがって、部品点数を、従来に比して格段に減少させることができるので、施工コストを減少させることが可能となる。
【００２７】
そして、屋根１，１０と軒天井材４との間に軒裏空間５が形成されており、軒先１ｂ側に取り付けられた雨樋２と、前記軒天井材４の下方に、壁に沿って垂直に取り付けられた竪樋６とを連結する呼樋７が、前記軒裏空間５を通過するようにして設けられている。
これによって、前記雨樋２と竪樋６とを連結する呼樋７が、前記軒裏空間５を通過するようにして設けられているので、この呼樋７への視線を遮蔽することができるので、屋根１，１０全体の外観意匠性を向上させることが可能となる。
【００２８】
なお、このように屋根１，１０の周囲に連続して雨樋２が取り付けられることによって、けらば１ａ側に取り付けられた雨樋２を流れる雨水も、軒先１ｂ側に取り付けられた雨樋２を流れる雨水も１本の竪樋６があれば集水することができるので効率が良い。
【００２９】
すなわち、例えば図３に示すように、屋根１０に欠け部１０ａが形成された場合であっても、欠け部１０ａに沿って連続して雨樋２を取り付けることによって、雨水が勾配に沿って流れてくるので、１本の竪樋６で効率良く集水することが可能となっている。
【００３０】
本実施の形態によれば、屋根１，１０の周囲に連続して前記雨樋２が取り付けられているので、同種類の雨樋２によって屋根１，１０の周囲を囲むことができる。これによって、この雨樋２を取り付ける際の部品点数を、従来に比して格段に減少させることができるので、施工コストを減少させることが可能となる。
さらに、このように屋根１，１０の周囲に連続して前記雨樋２が取り付けられているので、従来とは異なり、屋根１，１０の周囲の外観に連続性が生じることとなる。その上、けらば１ａ側に敷設された屋根材３の端部３ａが、前記けらば１ａ側の雨樋２の凹溝部２ａの上方に延出しているので、前記屋根材３の端部３ａによって凹溝部２ａへの視線を遮蔽することができる。これによって、屋根１，１０全体の外観意匠性を向上させることが可能となる。
【００３１】
（実施例）
本実施例においては、上述した雨樋とは異なる形態の雨樋２０について説明する。すなわち、本実施例の雨樋２０は、図５に示すように、雨水を受ける前記凹溝部２０ａと、屋根１，１０を構成する屋根パネル９の端部を差し込むための第１差込部２０ｂと、軒天井材４の端部を差し込むための第２差込部２０ｃとを備えている。
【００３２】
また、これら凹溝部２０ａと、第１および第２差込部２０ｃとは、屋根１，１０の周囲の長さ方向に沿って長尺に形成されるとともに、アルミ等の金属を押出成形することによって一体的に形成されている。
【００３３】
そして、前記第１差込部２０ｂは、屋根パネル９の上面に固定されるとともに、前記凹溝部２０ａの上方に延出する水切り２１を備えている。
また、前記第２差込部２０ｃは、前記凹溝部２０ａとの間に、この第２差込部２０ｃの長さ方向に沿って換気板部２２を備えており、この換気板部２２には、図示しない軒裏用の換気孔が複数形成されて並設されている。
【００３４】
さらに、前記第１差込部２０ｂおよび第２差込部２０ｃは、これら第１差込部２０ｂと第２差込部２０ｃとの間に位置する中間板部２３を介して隣り合うようにして一体形成されている。すなわち、前記第１差込部２０ｂおよび第２差込部２０ｃは、双方とも前記中間板部２３を備えた状態で構成されている。
これによって、例えば中間板部２３を介さずに、第１差込部２０ｂと第２差込部２０ｃとの位置が離間された状態で雨樋２０を成形する場合に比して、製造コストの減少を図ることができる。
【００３５】
次に、本実施例の雨樋２０の構成に基づいて形成されたコーナー用雨樋３０について説明する。このコーナー用雨樋３０は、図６に示すように、略直角形状に形成されており、屋根１，１０のコーナー部の軒先１ｂ側に位置する水平部３０ｂと、屋根のコーナー部のけらば１ａ側に位置する傾斜部３０ｃとを備えている。
このコーナー用雨樋３０の傾斜部３０ｃは、コーナー用雨樋３０の角部から屋根１，１０の角度にあわせて傾斜した状態で、前記コーナー用雨樋３０の水平部３０ｂと一体的に形成されている。
【００３６】
そして、前記コーナー用雨樋３０の水平部３０ｂの端部を、軒先１ｂ側に取り付けられた雨樋２０に連続して取り付けるようにして、前記コーナー用雨樋３０の傾斜部３０ｃの端部を、けらば１ａ側に取り付けられた雨樋２０に連続して取り付けるようにする。
これによって、このコーナー用雨樋３０を介して軒先１ｂ側およびけらば１ａ側の雨樋２０が、屋根１，１０の周囲に連続的に設けられる。
【００３７】
以上のように本実施例によれば、前記雨樋２０の凹溝部２０ａと、コーナー用雨樋３０の傾斜部３０ｃの凹溝部３０ａの上方に、けらば１ａ側の屋根材３の端部３ａが延出するようにして敷設されることによって、上述の第１の実施の形態と同様の効果を得ることができるようになっている。
【図面の簡単な説明】
【００３８】
【図１】本発明の実施の形態に係る屋根構造を示し、（ａ）は屋根の周囲に連続して雨樋が取り付けられた状態を示す斜視図であり、（ｂ）はけらば側の屋根材の端部が雨樋の凹溝部の上方に延出している状態を示す斜視図である。
【図２】雨樋が妻壁の上端部に沿って設けられた状態を示す断面図である。
【図３】屋根に欠け部が形成された際の屋根構造の一例を示す斜視図である。
【図４】軒裏の構造を示す斜視図である。
【図５】雨樋の実施例を示す側断面図である。
【図６】コーナー用雨樋の実施例を示す斜視図である。
【符号の説明】
【００３９】
１  屋根
２  雨樋
２ａ  凹溝部
３  屋根材
【図１】
2008231665.tif 000003
【図２】
2008231665.tif 000004
【図３】
2008231665.tif 000005
【図４】
2008231665.tif 000006
【図５】
2008231665.tif 000007
【図６】
2008231665.tif 000008